(57)【要約】      （修正有）【課題】専用アプリケーションでカメラにＷｅｂサービス登録をし、登録したＷｅｂサービス毎に適したアイコンボタンをＵＩに表示することでＷｅｂアクセス処理手順の簡略化を可能にしたＷｅｂ接続機能を有する撮像装置を提供する。【解決手段】Ｗｅｂ接続機能を有する撮像装置のＷｅｂサービス表示設定においてコンピュータ上で使用されるＷｅｂサービスアイコンを専用アプリケーションで加工し、撮像装置の表示機能に則したアイコンボタンを提供する。【選択図】図１
2013131085.tif 000002
【特許請求の範囲】
【請求項１】
Ｗｅｂ接続機能を有する撮像装置のＷｅｂサービス設定において、専用アプリケーションを利用し撮像装置の表示性能に則したＷｅｂサービス接続用ボタンアイコン作成し利用する事を特徴とするＷｅｂサービス設定およびＷｅｂサービス利用時の操作手段。
【請求項２】
請求項１の機能を持つアプリケーションにおいて、撮像装置の表示性能に合わせ、マスク情報オリジナルデータの情報を元に背景色、ふち作成、鏡面の画像加工を施しフォーマット変換しアイコンデータを作成する。また、規定されたＷｅｂサービス登録設定を行う場合は、予め準備している専用イメージを接続ボタンアイコンとして利用する事を特徴とするＷｅｂサービス設定およびＷｅｂサービス利用時の操作手段。
【発明の詳細な説明】
【技術分野】
【０００１】
本発明は、Ｗｅｂ接続機能を有する撮像装置に関し、特にＷｅｂサービス設定に関するものである。
【背景技術】
【０００２】
従来Ｗｅｂサービス接続に接続処理を行う状況に合わせアイコンを作成して利用する方法があった。
【０００３】
例えば、特許文献１では相手側装置の受信能力の問い合わせを行う問い合わせ手段と、上記問い合わせに応じて相手側装置が発信する受信能力情報を受信する能力受信手段と、上記能力受信手段により取得した相手側装置の受信能力に応じて画像データを変換し、その変換後の画像データを相手側装置に向けて送信する送信手段が開示されている。
【０００４】
特許文献２では受信した画像データを記憶し、検索条件を設定し、記憶した画像データに基づいて画像を表示させ、複数のアイコンを表示させ、いずれかのアイコンが押下された場合、検出したアイコンに関連付けられている画像データを検索し、検索した画像データに基づいて画像を表示させる設定手段が開示されている。
【先行技術文献】
【特許文献】
【０００５】
【特許文献１】特開２００４−１７９７６３号公報
【特許文献２】特開２０００−３２２４２３号公報
【発明の概要】
【発明が解決しようとする課題】
【０００６】
しかしながら、上述の特許文献に開示された従来技術では、Ｗｅｂ接続処理アイコン作成条件の詳細定義はなくまた、設定条件により表示方法を制御する具体的な手段が提供されていなかった。
【０００７】
また、コンピュータ上で表示するＷｅｂサービスアイコンはそのままＷｅｂ接続機能を有する撮像装置のアイコンデータとしては利用できない場合は専用アイコンを準備する必要がある。
【０００８】
そこで、本発明の目的は、専用アプリケーションでカメラ  にＷｅｂサービス登録をし、登録したＷｅｂ  サービス毎に適したアイコンボタンをＵＩに表示することでＷｅｂアクセス処理手順の簡略化を可能にしたＷｅｂ接続機能を有する撮像装置を提供することである。
【課題を解決するための手段】
【０００９】
上記目的を達成するために、本発明は、ＷｅｂサービスおよびＷｅｂ接続機能を有する撮像装置の条件に応じ専用アプリケーションにてＷｅｂサービス毎に適したアイコンボタンを作成し、撮像装置表示用アイコンとして使用することを特徴とする。
【発明の効果】
【００１０】
本発明によればＷｅｂ接続機能を有する撮像装置におけるＷｅｂサービス利用操作性向上を提供することができる。
【図面の簡単な説明】
【００１１】
【図１】アイコン作成処理システム概念図
【図２】Ｗｅｂ設定アプリ処理フロー図
【図３】アイコン作成概念図
【図４】撮像装置におけるＷｅｂサービス設定表示例１
【図５】撮像装置におけるＷｅｂサービス設定表示例２
【図６】登録システム概念図
【発明を実施するための形態】
【００１２】
以下に、本発明の好ましい実施の形態を、添付の図面に基づいて詳細に説明する。図１は、本発明の実施形態にかかわるアイコン作成処理システム概念図である。
【００１３】
［実施例１］
以下、図２を参照して、本発明の第１の実施例による、Ｗｅｂサービス設定処理について説明する。
【００１４】
Ｗｅｂ設定アプリ（１０１）は外部デバイスとして検出された撮像装置（１００）がアプリケーションで対応するＷｅｂサポートカメラであるかどうかを判定し（４００）、対象デバイスと判断された場合はＷｅｂサポート設定に必要なデバイス情報（１１０）を取得する（４０１）。
【００１５】
尚、Ｗｅｂサポート設定に必要なデバイス情報とは、デバイス基本情報であるデバイスＩＤやＷｅｂ設定情報として必要となる、現在設定されているサービス情報、設定可能なサービス数、設定可能な各サービスのアカウント数、Ｗｅｂサービスデータ利用可能メモリサイズ、アイコン情報等を指す。
【００１６】
次にＷｅｂサービスが提供可能かどうかをＷｅｂ設定情報取得用サーバー（１０２）に問い合わせ（４０２）、提供可能な場合は撮像装置（１００）がＷｅｂ設定アプリ（１０１）にてＷｅｂサービス登録済のデバイスかどうかを判定し（４０３）、未登録の場合はサービス登録処理（４１０）を行い、サーバーよりＷｅｂ設定情報を取得する（４０４）。
【００１７】
尚、Ｗｅｂ設定情報とは、Ｗｅｂサービス接続に必要なサポートサービス情報一覧、Ｗｅｂサポートサービスアイコンを指す。
【００１８】
次に、先に取得したデバイス情報（１１０）とＷｅｂ設定情報（１１３）を元に撮像装置（１００）用のＷｅｂ設定情報として、サービス接続設定情報とサービス用アイコンを作成する（４０５）。
【００１９】
図４にて撮像装置サービス接続表示用アイコンの作成（２１０）について説明する。
【００２０】
Ｗｅｂ設定情報取得用サーバー（１０２）からＷｅｂ設定情報（１１３）としてＷｅｂサービスの設定条件と各Ｗｅｂサービスに応じたコンピュータ上で表示するアイコン（２００）を取得する。
【００２１】
Ｗｅｂ設定アプリ（１０１）は取得した各Ｗｅｂサービスについて、Ｗｅｂ設定アプリ（１０１）内にＷｅｂサービスに関連付けられたアイコン情報がある場合は、Ｗｅｂ設定アプリ（１０１）に登録されているアイコンデータを撮像装置のＬＣＤ表示部（図不示）用ボタンアイコン（２０２）として使用する（３−１）。
【００２２】
Ｗｅｂサービスと関連付けられた撮像装置のＬＣＤ表示部（図不示）用ボタンアイコン（２０２）が無い場合は、Ｗｅｂ設定情報（１１３）として取得したコンピュータ上で表示するアイコン（２００）を加工してＬＣＤ表示部（図不示）用ボタンアイコン（２０２）を作成する。
【００２３】
更に、Ｗｅｂ設定情報（１１３）として取得したコンピュータ上で表示するアイコン（２００）の加工方法について説明する。
【００２４】
Ｗｅｂ設定アプリ（１０１）はデバイス情報（１１０）で取得したアイコン情報（アイコンデータフォーマット、アイコンサイズ、アイコン表示背景色）を元に加工方法を決定する。
【００２５】
Ｗｅｂ設定アプリ（１０１）はＷｅｂ設定情報（１１３）として取得したコンピュータ上で表示するアイコン（２００）から、レイヤーの有無、サイズを解析する。
【００２６】
アイコン（２００）にレイヤーが存在する場合はレイヤー解析し、透過部分はデバイス情報（１１０）で取得したアイコン情報のアイコン表示背景色に変換する。
【００２７】
またアイコン（２００）で取得したアイコンサイズとデバイス情報（１１０）で取得したアイコン情報のアイコンサイズが異なる場合は、デバイス表示用アイコンサイズに合わせアイコン（２００）のサイズを変更し撮像装置のＬＣＤ表示部（図不示）用ボタンアイコン（２０２）として使用する（３−２）。
【００２８】
Ｗｅｂ設定アプリ（１０１）はＷｅｂサービス設定処理で作成されたサービス接続設定情報と対応するアイコン（２０２）を撮像装置（１００）のＷｅｂサービス登録情報として設定する。
【００２９】
以上、本発明の好ましい実施形態について説明したが、本発明はこれらの実施形態に限定されず、その要旨の範囲内で種々の変形及び変更が可能である。
【符号の説明】
【００３０】
１００：Ｗｅｂ接続機能を有する撮像装置
１０１：Ｗｅｂ設定アプリ
１０２：Ｗｅｂ設定情報取得用サーバー
１１０：デバイス情報
１１３：Ｗｅｂ設定情報
１１４：Ｗｅｂ設定
【図１】
2013131085.tif 000003
【図２】
2013131085.tif 000004
【図３】
2013131085.tif 000005
【図４】
2013131085.tif 000006
【図５】
2013131085.tif 000007
【図６】
2013131085.tif 000008